(57)【要約】      （修正有）【課題】ユーザの活動に係る活動量を、取りこぼしなく測定および記録する装置を提供する。【解決手段】活動量計１の電池切れが近づくと、それを携帯端末２に通知し、携帯端末２において、活動量の測定を開始する。そして、活動量計１の電池が充電されると、それを携帯端末２に通知し、携帯端末２において測定された活動量データを、活動量計１に送信する。【選択図】図１
2015029654.tif 000002
【特許請求の範囲】
【請求項１】
電源としての電池と、ユーザの動作に係る情報および周辺環境に係る情報から、上記ユーザの動作に係る活動量を測定する活動量測定部とを備えるとともに、上記活動量を測定可能な活動量測定補助装置と通信を行う活動量測定装置であって、
上記電池の電池残量を測定する電池残量測定手段と、
上記電池残量測定手段が測定した電池残量が、上記活動量測定部が上記活動量の測定を継続できない電池残量になったことを示す第１閾値以下になった場合、上記活動量測定補助装置に対し、上記電池残量を示す通知を送信することにより、上記活動量測定補助装置に上記活動量の測定を開始させる通知送信手段と、を備えることを特徴とする活動量測定装置。
【請求項２】
電源としての電池と、ユーザの動作に係る情報および周辺環境に係る情報から、上記ユーザの動作に係る活動量を測定する活動量測定部とを備えるとともに、上記活動量を測定可能な活動量測定補助装置と通信を行う活動量測定装置であって、
上記電池の電池残量を測定する電池残量測定手段と、
上記電池残量測定手段が測定した電池残量が、上記電池の充電または交換の完了を示す第２閾値以上になった場合、上記活動量測定補助装置に対し、上記完了を示す通知を送信することにより、上記活動量測定補助装置に該活動量測定補助装置が測定した上記活動量を示す活動量データを送信させる通知送信手段と、
上記通知送信手段が上記通知を送信すると、上記活動量測定部に上記活動量の測定を開始させる活動量測定開始手段と、
上記通知送信手段が送信した上記通知に応答して上記活動量測定補助装置から送信された上記活動量データを受信する活動量データ受信手段と、を備えることを特徴とする活動量測定装置。
【請求項３】
ユーザの動作に係る情報および周辺環境に係る情報から、上記ユーザの動作に係る活動量を測定する第２活動量測定部を備えるとともに、電源としての電池を備えて、上記活動量を測定可能な活動量測定装置と通信を行う活動量測定補助装置であって、
上記活動量測定装置から、上記電池の電池残量が、上記活動量測定装置が上記活動量の測定を継続できない電池残量になったことを示す通知を受信する通知受信手段と、
上記通知受信手段が上記通知を受信した場合、上記第２活動量測定部に上記活動量の測定を開始させる第２活動量測定開始手段と、を備えることを特徴とする活動量測定補助装置。
【請求項４】
ユーザの動作に係る情報および周辺環境に係る情報から、上記ユーザの動作に係る活動量を測定する第２活動量測定部を備えるとともに、電源としての電池を備えて、上記活動量を測定可能な活動量測定装置と通信を行う活動量測定補助装置であって、
上記活動量測定装置から、上記活動量測定装置の上記電池の充電または交換の完了を示す通知を受信する通知受信手段と、
上記通知受信手段が上記通知を受信した場合、上記第２活動量測定部が測定した上記活動量を示す活動量データを上記活動量測定装置へ送信する第２活動量データ送信手段と、
上記通知受信手段が上記通知を受信した場合、上記第２活動量測定部に上記活動量の測定を停止させる活動量測定停止手段と、を備えることを特徴とする活動量測定補助装置。
【発明の詳細な説明】
【技術分野】
【０００１】
本発明は、ユーザの動作に係る情報を測定する活動量測定装置等に関する。
【背景技術】
【０００２】
従来、歩数、消費カロリー、歩行距離、運動強度（METs、Metabolic equivalents）など、ユーザの活動（運動など）に関連するデータを測定する活動量計が広く知られている。このような活動量計は一般的に、小容量の充電池やコイン電池で動作し、充電池で約１週間、コイン電池で約半年程度継続して活動量を測定可能である。
【０００３】
また、上述のような活動量計で測定したデータの詳細な分析や維持管理のため、当該データを、サーバや外部装置に保管する技術が開示されている。例えば、特許文献１には、携帯電話に接続された歩数計にて歩数を測定し、測定したデータを、携帯電話を介しサーバに格納する技術が開示されている。また、特許文献２には、歩数計で測定した歩数および記録時刻のデータをゲーム装置に送信し、当該ゲーム装置がデータの管理を行う技術が開示されている。さらに、特許文献３には、歩数計と、他の歩数計とが加速度データを互いに送受信することにより、歩行の相性など、互いの加速度データから演算された楽しめる情報を共有する技術が開示されている。
【０００４】
一方、携帯電話、スマートフォンなどの携帯端末に活動量の測定機能を搭載する技術も開発されている。しかしながら、携帯端末で活動量を測定する場合、携帯端末にて常時動作している機能に加え、活動量の測定機能を動作させることになるため、携帯端末本来の機能を使用できる時間（例えば、携帯端末の待ち受け時間）が短くなってしまう。そのため、活動量を長期間にわたり測定する場合は、ユーザは携帯端末ではなく活動量計を用いることが一般的であった。
【先行技術文献】
【特許文献】
【０００５】
【特許文献１】特開２００４−１７９６８０号公報（２００４年６月２４日公開）
【特許文献２】特許第５１６５４７４号明細書（２０１３年３月２１日発行）
【特許文献３】特開２０１１−０９０４２６号公報（２０１１年５月６日公開）
【発明の概要】
【発明が解決しようとする課題】
【０００６】
しかしながら、上記特許文献１〜３に開示された技術では、活動量計が電池切れを起こした場合に生じる、活動量の記録の「空白期間」について考慮されていない。
【０００７】
活動量計は、自機の電池残量が少なくなると、一般的に充電または電池交換を促す通知を行う。しかし、上記通知を行っても電池交換または充電が行われない場合など、活動量計にて活動量の測定を継続できなくなるまで電池残量が低下した（電池切れを起こした）場合、活動量計の電源はオフ状態となり、活動量の測定を含む各種機能は停止する。
【０００８】
その結果、一旦電池切れを起こしてしまうと、活動量計は、充電または電池交換が行われるまでの期間、活動量の測定および記録を行うことができない。ゆえに、上記期間中にユーザが活動した分の活動量は上記活動量計では測定および記録できない。したがって、上記期間は、実際にはユーザが活動していたとしてもその活動量が記録されない「空白期間」になってしまうという問題がある。
【０００９】
本発明は上記問題に鑑みたものであり、その目的は、活動量計が活動量を測定および記録できない期間が生じても、当該期間中のユーザの活動に係る活動量を、取りこぼしなく測定および記録可能な活動量測定装置および活動量測定補助装置を実現することにある。
【課題を解決するための手段】
【００１０】
上記の課題を解決するために、本発明の一態様に係る活動量測定装置は、電源としての電池と、ユーザの動作に係る情報および周辺環境に係る情報から、上記ユーザの動作に係る活動量を測定する活動量測定部とを備えるとともに、上記活動量を測定可能な活動量測定補助装置と通信を行う活動量測定装置であって、上記電池の電池残量を測定する電池残量測定手段と、上記電池残量測定手段が測定した電池残量が、上記活動量測定部が上記活動量の測定を継続できない電池残量になったことを示す第１閾値以下になった場合、上記活動量測定補助装置に対し、上記電池残量を示す通知を送信することにより、上記活動量測定補助装置に上記活動量の測定を開始させる通知送信手段と、を備えることを特徴としている。
【００１１】
また、本発明の一態様に係る活動量測定装置は、電源としての電池と、ユーザの動作に係る情報および周辺環境に係る情報から、上記ユーザの動作に係る活動量を測定する活動量測定部とを備えるとともに、上記活動量を測定可能な活動量測定補助装置と通信を行う活動量測定装置であって、上記電池の電池残量を測定する電池残量測定手段と、上記電池残量測定手段が測定した電池残量が、上記電池の充電または交換の完了を示す第２閾値以上になった場合、上記活動量測定補助装置に対し、上記完了を示す通知を送信することにより、上記活動量測定補助装置に該活動量測定補助装置が測定した上記活動量を示す活動量データを送信させる通知送信手段と、上記通知送信手段が上記通知を送信すると、上記活動量測定部に上記活動量の測定を開始させる活動量測定開始手段と、上記通知送信手段が送信した上記通知に応答して上記活動量測定補助装置から送信された上記活動量データを受信する活動量データ受信手段と、を備えることを特徴としている。
【００１２】
また、本発明の一態様に係る活動量測定補助装置は、ユーザの動作に係る情報および周辺環境に係る情報から、上記ユーザの動作に係る活動量を測定する第２活動量測定部を備えるとともに、電源としての電池を備えて、上記活動量を測定可能な活動量測定装置と通信を行う活動量測定補助装置であって、上記活動量測定装置から、上記電池の電池残量が、上記活動量測定装置が上記活動量の測定を継続できない電池残量になったことを示す通知を受信する通知受信手段と、上記通知受信手段が上記通知を受信した場合、上記第２活動量測定部に上記活動量の測定を開始させる第２活動量測定開始手段と、を備えることを特徴としている。
【００１３】
また、本発明の一態様に係る活動量測定補助装置は、ユーザの動作に係る情報および周辺環境に係る情報から、上記ユーザの動作に係る活動量を測定する第２活動量測定部を備えるとともに、電源としての電池を備えて、上記活動量を測定可能な活動量測定装置と通信を行う活動量測定補助装置であって、上記活動量測定装置から、上記活動量測定装置の上記電池の充電または交換の完了を示す通知を受信する通知受信手段と、上記通知受信手段が上記通知を受信した場合、上記第２活動量測定部が測定した上記活動量を示す活動量データを上記活動量測定装置へ送信する第２活動量データ送信手段と、上記通知受信手段が上記通知を受信した場合、上記第２活動量測定部に上記活動量の測定を停止させる活動量測定停止手段と、を備えることを特徴としている。
【発明の効果】
【００１４】
本発明の上記の各態様によれば、活動量計が活動量を測定および記録できない期間が生じても、当該期間中のユーザの活動に係る活動量を、取りこぼしなく測定および記録することができるという効果を奏する。
【図面の簡単な説明】
【００１５】
【図１】本発明に係る活動量測定システムの要部構成を示すブロック図である。
【図２】本発明に係る活動量計および携帯端末が生成する現在値データのデータ構造の一例を示す図である。
【図３】上記活動量計および携帯端末が生成するログデータのデータ構造の一例を示す図である。
【図４】上記活動量計および携帯端末が生成するログデータのデータ構造の他の一例を示す図である。
【図５】上記活動量計の電池残量が少なくなった場合に、上記活動量計および上記携帯端末が実行する処理の一例を示すフローチャートである。
【図６】上記活動量計の充電が完了した場合に、上記活動量計および上記携帯端末が実行する処理の一例を示すフローチャートである。
【発明を実施するための形態】
【００１６】
〔実施形態１〕
以下、本発明の第１の実施形態について詳細に説明する。
【００１７】
≪活動量測定システムの概略≫
まず始めに、図１を用いて本実施形態に係る活動量測定システム１０を構成する装置について、簡単に説明する。図１は、活動量測定システム１０の要部構成を示すブロック図である。
【００１８】
活動量測定システム１０は、活動量計１にて活動量を測定できなくなった場合に、活動量計１に代って携帯端末２が活動量を測定するシステムである。また、活動量測定システム１０は、活動量計１にて活動量が再び測定可能になった場合に、携帯端末２が測定した活動量を含むデータを、活動量計１へと送信するシステムである。すなわち、活動量測定システム１０は、活動量計１を主として活動量の測定を行い、活動量計１が電池切れを起こしたときに、補助的に携帯端末２を用いて活動量の測定を行うシステムである。
【００１９】
ここで、活動量とは、ユーザの動作に係る情報を定量化した値と、上記定量化した値から算出した情報とを示す。具体的には、活動量とは、例えば、歩数、消費カロリー、歩行距離、運動強度（METs、Metabolic equivalents）、運動の種類などである。
【００２０】
活動量測定システム１０は図示の通り、活動量計１（活動量測定装置）と、携帯端末２（活動量測定補助装置）とで構成される。上述の通り、本実施形態では、本発明に係る活動量測定装置を活動量計にて、また、活動量測定補助装置を携帯端末にて実現した例について説明する。しかしながら、本発明を具現化する形態は上記装置に限定されず、後述の構成を備えることが可能な装置であれば、種々の装置に適用可能である。ただし、活動量計１のように活動量測定の主となる装置は、活動量の測定にあたり、上述のようにユーザの動作および周辺環境に係る情報を検出するため、持ち歩くことが可能な装置であることが望ましい。また、活動量測定の主となる装置は、継続的に活動量の測定が可能な期間（電池の持ち）が、携帯端末２のように補助的に活動量測定を行う装置より長いことが望ましい。
【００２１】
次に、図１を用いて活動量計１および携帯端末２の詳細な構成を説明する。なお、活動量計１および携帯端末２において、本実施形態に直接関係のない部分は構成の説明およびブロック図から省略した。ただし、活動量計１および携帯端末２は、実施の実情に即して当該省略した構成を含んでいてもよい。
【００２２】
≪活動量計１の要部構成≫
活動量計１は、活動量を測定および記録する装置である。本実施形態に係る活動量計１は、電池により動作し、上述した活動量を少なくとも１種類測定し、携帯端末２と通信を行う装置であればよい。活動量計１の具体例としては、歩数計、高度計、ＧＰＳ（Global Positioning System）ロガーなどが挙げられる。
【００２３】
なお、活動量計１は、上述した活動量計１としての各種機能を持つ複数の装置から構成されていてもよいが、独立した１つの装置であることが望ましい。
【００２４】
活動量計１は、図示の通り、制御部１１０（活動量データ送信手段、活動量データ受信手段）と、通信部１２０と、センサ部１３０と、計時部１４０（計時部）と、記憶部１５０と、電池１６０とを備えている。
【００２５】
通信部１２０は、後述する携帯端末２の端末通信部２２０とデータの送受信を行うものである。通信部１２０と端末通信部２２０との通信方式は、データおよび各種通知の送受信を行うことができれば特に限定されない。しかしながら、上述の通り活動量計１は持ち運び可能な装置であることが望ましいので、通信部１２０と端末通信部２２０との通信方式は無線通信であることが望ましい。具体的には、通信部１２０と端末通信部２２０とは、Bluetooth（登録商標）、Wi-Fi Direct（登録商標）などを用いて通信することが望ましい。
【００２６】
センサ部１３０は、ユーザの動作および周辺環境に係る情報を検出し、定量化するものである。以降、センサ部１３０にて定量化された値を「センサ情報」と記載する。検出されたセンサ情報は、現在値データ生成部１１２へと送信される。
【００２７】
センサ部１３０は、具体的には、加速度センサ、ジャイロセンサ、地磁気センサ、ＧＰＳ受信機、高度（気圧）センサ、温度センサ、湿度センサなどのセンサにより実現される。ゆえに、センサ部１３０にて検出される「センサ情報」とは、具体的には、歩行動作（１歩）、位置情報（緯度および経度の数値）、高度（気圧）、温度、湿度などを示す。
【００２８】
ここで、センサ情報の検出を、具体例を挙げて説明する。例えば、センサ部１３０が加速度センサを備え、当該加速度センサにて検出した加速度の波形信号から、センサ情報として歩数を検出するとする。この場合、センサ部１３０は、加速度センサにより加速度を示す波形信号を取得し、当該波形信号の波形から、既定のアルゴリズムによりユーザの歩行動作に伴う波形の変化を検出し、当該検出を１歩としてカウントする。つまり、この場合、センサ情報は歩数（１歩）を示す値である。
【００２９】
センサ部１３０は少なくとも１種類のセンサ情報を検出できればよいが、複数のセンサを含み、当該複数のセンサから複数のセンサ情報を検出する構成であってもよい。また、本実施形態においては、センサ部１３０は活動量計１に内蔵されたセンサとしたが、センサ部１３０は活動量計１の外部に接続された機器であっても構わない。
【００３０】
計時部１４０は、現在値データ生成部１１２に対し時刻を供給するものである。具体的には、計時部１４０は、時刻を計時し、随時現在値データ生成部１１２へと送信する。また、計時部１４０は、所定の時間（例えば１０分）が経過したことを、現在値データ生成部１１２に通知する。
【００３１】
電池１６０は、活動量計１の電源となる電池である。具体的には、小型の充電池やボタン電池など、従来の活動量計で用いられる電池を電池１６０として用いることができる。
【００３２】
制御部１１０は、活動量計１を統括的に制御するものである。制御部１１０は、例えば、ＣＰＵ（central processing unit）などで実現される。また、制御部１１０は、通信部１２０を介して携帯端末２からの各種通知を送受信する機能と、後述する現在値データ１５１およびログデータ１５２を携帯端末２の端末制御部２１０と送受信する機能とを含む。
【００３３】
制御部１１０は、さらに詳しくは、測定制御部１１１（活動量測定開始手段、測定停止手段）と、現在値データ生成部１１２（活動量測定部、現在値データ生成手段）と、ログデータ生成部１１３（ログデータ生成手段）と、電池監視部１１４（電池残量測定手段、通知送信手段）とを含む。
【００３４】
電池監視部１１４は、電池１６０の電池残量を測定し、当該電池残量と、充電開始閾値（第１閾値）および充電完了閾値（第２閾値）との大小を判定するものである。電池１６０の電池残量は、例えば電池１６０の電池電圧をモニタリングすることにより測定すればよい。
【００３５】
ここで「充電開始閾値」とは、センサ部１３０での測定、および現在値データ生成部１１２での活動量の測定を継続できない状態（残量少状態）を示す電池残量の範囲の上限値である。すなわち、充電開始閾値は、電池１６０の充電が必要か否かを判断する閾値である。また、以降、上記残量少状態を示す通知を「残量少通知」と記載する。
【００３６】
また、「充電完了閾値」とは、電池１６０の充電または電池交換の完了を示す閾値である。以降、電池１６０の充電または電池交換の完了の通知を「充電完了通知」と記載する。
【００３７】
電池監視部１１４は、電池１６０の電池残量が充電開始閾値以下になった場合、測定制御部１１１および携帯端末２の通知取得部２１１に残量少通知を送信する。また、電池監視部１１４は、電池１６０の電池残量が充電完了閾値以上になった場合、測定制御部１１１および携帯端末２の通知取得部２１１に充電完了通知を送信する。
【００３８】
測定制御部１１１は、センサ部１３０および現在値データ生成部１１２の起動と停止とを切替えるものである。測定制御部１１１は、電池監視部１１４から残量少通知を受信した場合、センサ部１３０を停止させるとともに、現在値データ生成部１１２へ活動量の測定停止を指示する制御命令を送信する。
【００３９】
測定制御部１１１はまた、電池監視部１１４から充電完了通知を受信した場合、センサ部１３０を起動させるとともに、現在値データ生成部１１２へ、活動量の測定開始を指示する制御命令を送信する。
【００４０】
現在値データ生成部１１２は、センサ部１３０から受信したセンサ情報から活動量を測定し、計時部１４０から受信した時刻に、上記活動量が対応づけられた現在値データ１５１を生成および保持するものである。
【００４１】
活動量計１が活動量の測定を行っている場合（残量少状態でない場合）、現在値データ生成部１１２は、センサ部１３０からセンサ情報を受信すると、当該センサ情報から活動量を測定し、当該活動量と、計時部１４０から受信した時刻とから、現在値データ１５１を生成する。生成した現在値データ１５１は、現在値データ生成部１１２にて保持される。なお、現在値データ１５１の生成処理については後で詳述する。そして、現在値データ生成部１１２は、計時部１４０から所定の時間（例えば１０分）が経過したことを示す通知を受信した場合、保持している現在値データ１５１をログデータ生成部１１３へと送信する。
【００４２】
一方、活動量計１が残量少状態となると（電池切れを起こすと）、現在値データ生成部１１２は、測定制御部１１１から活動量の測定停止を指示する制御命令を受信し、センサ情報の受信、活動量の測定、および現在値データ１５１の生成を停止する。また、現在値データ生成部１１２がその時点で保持していた現在値データ１５１は、制御部１１０により携帯端末２の端末現在値データ生成部２１３へと送信される。以降、現在値データ生成部１１２または後述の端末現在値データ生成部２１３が保持している現在値データ１５１を、「最新の現在値データ１５１」と記載する。
【００４３】
一方、活動量計１が一旦残量少状態となった後に、充電または電池交換により電池残量が回復した（電池残量が充電完了閾値以上になった）場合、現在値データ生成部１１２は、制御部１１０から、端末現在値データ生成部２１３が生成した現在値データ１５１を受信する。また、現在値データ生成部１１２は、測定制御部１１１から活動量の測定開始を指示する制御命令を受信すると、センサ部１３０からのセンサ情報の受信、活動量の測定、および現在値データ１５１の生成を再開する。
【００４４】
なお、このとき、現在値データ生成部１１２は、受信した現在値データ１５１（端末現在値データ生成部２１３が作成した現在値データ１５１）の続きを生成する。携帯端末２から受信した現在値データ１５１の引き継ぎ方法は、後で詳述する。
【００４５】
ログデータ生成部１１３は、現在値データ１５１から、単位時間あたりの活動量の履歴を示すログデータ１５２を生成するものである。
【００４６】
活動量計１が活動量の測定を行っている場合（残量少状態でない場合）、ログデータ生成部１１３は、現在値データ生成部１１２から最新の現在値データ１５１を受信すると、記憶部１５０に格納されている現在値データ１５１と、最新の現在値データ１５１との差分を算出して、単位時間あたりの活動量の履歴（ログ）を生成する。なお、上記ログの生成処理については後で詳述する。以降、記憶部１５０または後述の端末記憶部２５０に格納されている現在値データ１５１（ログデータ生成部１１３または端末ログデータ生成部２１４において、１つ前のログを生成する際に現在値データ生成部１１２から受信し使用した現在値データ１５１）を、「前回の現在値データ１５１」と記載する。
【００４７】
そして、ログデータ生成部１１３は、生成したログを記憶部１５０のログデータ１５２へと追加するとともに、上記ログの生成に使用した現在値データ１５１（現在値データ生成部１１２から受信した、最新の現在値データ１５１）を、記憶部１５０に記憶された現在値データ１５１（前回の現在値データ１５１）と置き換える。なお、このとき格納される現在値データ１５１は、ログデータ生成部１１３が次回ログを生成するときに記憶部１５０から読み出される。
【００４８】
記憶部１５０は、活動量計１にて使用する各種データを記憶するものである。記憶部１５０には、図示の通り、現在値データ１５１（前回の現在値データ１５１）と、ログデータ１５２とが格納されている。ログデータ１５２はログデータ生成部１１３により新しいログが追加される。現在値データ１５１は、ログデータ１５２のログの追加とともに、ログデータ生成部１１３により格納される。また、以下、現在値データ１５１およびログデータ１５２のデータ構成について詳述する。
【００４９】
（現在値データのデータ構成）
まず、現在値データ１５１のデータ構成について説明する。図２は、現在値データ１５１のデータ構造の一例を示す図である。現在値データ１５１は図示の通り、「時刻」列と、「総歩数」列と、「総消費カロリー」列と、「総距離」列と、「運動の種類」列と、「現在地」列とを含む。
【００５０】
「時刻」列は、計時部１４０にて計時された時刻を示す情報を格納する。現在値データ１５１は、「時刻」列の情報に、他の列の情報（活動量）が対応づけられている。
【００５１】
「総歩数」列と、「総消費カロリー」列と、「総距離」列と、「運動の種類」列と、「現在地」列とは、それぞれ活動量を示す情報である。「総歩数」列は、歩数の累計値、すなわち、活動量測定システム１０において、活動量の測定が初期化されてから、「時刻」列が示す時刻までに、活動量計１および携帯端末２にて測定された歩数の総和を格納する。また、「総消費カロリー」「総距離」列は、「総歩数」列の情報から所定のアルゴリズムで算出された消費カロリーの総和および歩行距離の総和をそれぞれ格納する。「運動の種類」列は、ユーザが行った運動の種類を示す情報を格納する。また、「現在値（緯度／軽度）」列は、「時刻」列に格納された時刻における、ユーザの現在の位置を、緯度および経度で示した情報を格納する。
【００５２】
なお、現在値データ１５１は、時刻に対し、少なくとも１種類の活動量が対応づけられた情報であればよく、そのデータ構造はテーブル形式に限定されない。また、各列に格納する情報の、格納形式は問わない。
【００５３】
また、本実施形態では、現在値データ１５１は１レコード（行）の情報であり、現在値データ生成部１１２が現在値データ１５１を生成するときは、上記１レコードの情報を毎回新規に生成することとした。しかしながら、現在値データ１５１は、現在値データ生成部１１２により活動量が測定されるたびに、新しいレコード（行）を順次追加して、そこに当該活動量および時刻を記録していくようなデータ構成であってもよい。
【００５４】
（ログデータのデータ構成）
次に、ログデータ１５２のデータ構成について説明する。図３は、ログデータ１５２のデータ構造の一例を示す図である。ログデータ１５２は図示の通り、「時刻」列と、「運動の種類」列と、「歩数」列と、「カロリー」列と、「距離」列とを含み、１行が、「時刻」列に記載された時間（期間）内に測定された活動量（活動量のログ）を示す。なお、ログデータ１５２は、単位時間に対し、当該単位時間あたりの活動量が、少なくとも１種類対応づけられた情報であればよく、そのデータ構造はテーブル形式に限定されない。また、各列に格納する情報の、格納形式は問わない。
【００５５】
「時刻」列は、単位時間を示す情報を格納する。ログデータ１５２は、「時刻」列の情報に、他の列の情報（活動量）が対応づけられている。なお、本実施形態では上記単位時間を１０分とし、各単位時間の開始時刻と、終了時刻との情報を格納することとした。
【００５６】
また、「運動の種類」「歩数」「カロリー」「距離」の各列はそれぞれ活動量を示す情報であり、上記所定の単位時間あたりの運動の種類、歩数、カロリー、および距離を示す情報を格納している。
【００５７】
一方、ログデータ１５２が、位置情報（緯度および経度）を含む場合、単位時間あたりの位置情報から移動の軌跡を算出してもよい。この場合、移動の軌跡をより精度よく算出できるようにするため、上記所定の単位時間は、他の種類の活動量を記録する時に比べ、より細かく区切られた単位時間であることが望ましい。
【００５８】
図４は、ログデータ１５２が位置情報を含む場合で、位置情報のみ他の活動量と異なる単位時間でログデータを生成した場合のデータ構造の一例を示している。図４に示したログデータも、所定の単位時間（５秒）に対し、活動量（位置情報（経度／緯度））が対応づけられた情報である。このように、位置情報を活動量として測定および記録する場合は、他の活動量とは異なる時間間隔にて位置情報を取得し、記録しておけばよい。
【００５９】
≪携帯端末の要部構成≫
携帯端末２は、活動量を測定および記録する装置である。本実施形態に係る携帯端末２は、活動量計１が測定する活動量に相当する活動量を、少なくとも１種類測定可能であり、活動量計１と通信可能な装置であればよい。携帯端末２の具体例としては、携帯電話、スマートフォン、タブレットＰＣなどが挙げられる。
【００６０】
さらに、携帯端末２は、活動量計１から活動量を示すデータを取得し、取得したデータをユーザに表示可能な装置であることが望ましい。また、携帯端末２は、活動量計１と通信を行った際に、活動量計１にて計時される時刻を、自機にて計時される時刻に合わせる（時刻合わせをする）ことが可能な装置であることが望ましい。
【００６１】
携帯端末２は、図示の通り、端末制御部２１０（第２活動量データ送信手段、第２活動量データ受信手段）と、端末通信部２２０と、端末センサ部２３０と、端末計時部２４０（第２計時部）と、端末記憶部２５０とを備えている。なお、携帯端末２の上記構成はそれぞれ、活動量計１の制御部１１０、通信部１２０、センサ部１３０、計時部１４０、および記憶部１５０と対応しており、同様の機能を有している。以下、携帯端末２の各構成において、活動量計１の上記対応する構成と同様の機能については説明を省略する。
【００６２】
端末通信部２２０は、活動量計１の通信部１２０とデータの送受信を行うものである。
【００６３】
端末センサ部２３０は、活動量計１のセンサ部１３０と同様に、センサ情報を検出するものである。なお、携帯端末２が検出するセンサ情報は、活動量計１が検出するセンサ情報と、その精度および検出頻度が異なっていてもよい。すなわち、携帯端末２が検出するセンサ情報は、活動量計１にて検出されるセンサ情報に相当するものであればよく、完全に同一精度のデータでなくともよい。ただし、上述の通り、携帯端末２は、活動量計１の代わりに活動量を測定する活動量測定装置であるので、活動量計１との間で、活動量の測定精度の差が生じないことが望ましい。したがって、携帯端末２の検出するセンサ情報の精度および検出頻度は、活動量計１のセンサ部１３０が検出するセンサ情報のそれと同等であることがより望ましい。
【００６４】
また、携帯端末２は、端末センサ部２３０を備える代わりに、インターネットなどを通じて、端末センサ部２３０が検出したセンサ情報に相当するデータを取得し、当該データを用いて端末現在値データ生成部２１３にて活動量を測定してもよい。
【００６５】
端末計時部２４０は、携帯端末２にて計時部１４０と同様の機能を担う。具体的には、端末計時部２４０は、時刻を計時し、随時端末現在値データ生成部２１３へと送信する。また、端末計時部２４０は、所定の時間（例えば１０分）が経過したことを、端末現在値データ生成部２１３へと通知する。
【００６６】
端末記憶部２５０は、携帯端末２にて使用する各種データを記憶するものである。
【００６７】
端末制御部２１０は、携帯端末２を統括的に制御するものである。また、端末通信部２２０は、端末通信部２２０を介して活動量計１からの各種通知を送受信する機能と、現在値データ１５１およびログデータ１５２を活動量計１の制御部１１０と送受信する機能とを含む。
【００６８】
端末制御部２１０は、さらに詳しくは、通知取得部２１１（通知受信手段）と、端末測定制御部２１２（第２活動量測定開始手段、活動量測定停止手段）と、端末現在値データ生成部２１３（第２活動量測定部、第２現在値データ生成部）と、端末ログデータ生成部２１４（第２ログデータ生成部）とを含む。なお、携帯端末２の端末測定制御部２１２と、端末現在値データ生成部２１３と、端末ログデータ生成部２１４とはそれぞれ、活動量計１の測定制御部１１１と、現在値データ生成部１１２と、ログデータ生成部１１３とに対応しており、同様の機能を有している。
【００６９】
通知取得部２１１は、活動量計１から各種通知を受信するものである。具体的には、通知取得部２１１は、活動量計１の電池監視部１１４から残量少通知および充電完了通知を受信する。通知取得部２１１はまた、活動量計１の制御部１１０から、現在値データ１５１およびログデータ１５２の送信および受信の準備完了通知を受信する。
【００７０】
端末測定制御部２１２は、活動量計１の測定制御部１１１と同様に、端末センサ部２３０および端末現在値データ生成部２１３の起動と停止とを切替えるものである。
【００７１】
端末測定制御部２１２は、通知取得部２１１からセンサ情報の検出停止を要求された場合、端末センサ部２３０を停止させ、端末現在値データ生成部２１３へ、活動量の測定停止を指示する制御命令を送信する。
【００７２】
端末測定制御部２１２はまた、通知取得部２１１からセンサ情報の検出開始を要求された場合、端末センサ部２３０を起動させ、端末現在値データ生成部２１３へ、活動量の測定開始を指示する制御命令を送信する。
【００７３】
端末現在値データ生成部２１３は、活動量計１の現在値データ生成部１１２と同様に、端末センサ部２３０から受信したセンサ情報から活動量を測定するものであり、現在値データ１５１を生成および保持するものである。
【００７４】
端末現在値データ生成部２１３は、端末測定制御部２１２から活動量の測定開始を指示する制御命令を受信すると、センサ部１３０からのセンサ情報の受信、活動量の測定、および現在値データ１５１の生成を開始する。
【００７５】
一方、端末測定制御部２１２から活動量の測定停止を指示する制御命令を受信した場合、端末現在値データ生成部２１３は、センサ情報の受信、活動量の測定、および現在値データ１５１の生成を停止する。また、端末現在値データ生成部２１３がその時点で保持していた現在値データ１５１は、端末制御部２１０により活動量計１の制御部１１０へと送信される。
【００７６】
端末ログデータ生成部２１４は、活動量計１のログデータ生成部１１３と同様に、ログデータ１５２を生成するものである。
【００７７】
端末ログデータ生成部２１４は、通知取得部２１１にて、活動量計１からのデータ受信の準備完了の通知が受信された場合、端末記憶部２５０から現在値データ１５１およびログデータ１５２を読み出し、それぞれ活動量計１の現在値データ生成部１１２およびログデータ生成部１１３へと送信する。また、端末ログデータ生成部２１４は、活動量計１のログデータ生成部１１３から現在値データ１５１およびログデータ１５２を受信すると、受信したデータを記憶部１５０へと格納する。
【００７８】
続いて、現在値データ生成部１１２および端末現在値データ生成部２１３における、現在値データ１５１の生成処理の詳細を説明する。なお、以降の説明は、現在値データ生成部１１２が現在値データ１５１を生成する際の処理を説明しているが、端末現在値データ生成部２１３における現在値データ１５１の生成処理も同様である。
【００７９】
（現在値データの生成）
現在値データ生成部１１２は、測定制御部１１１から活動量の測定開始を指示する制御命令を受信すると、センサ部１３０からのセンサ情報の受信を開始し、当該センサ情報を活動量とし、当該活動量を計時部１４０から受信している時刻に対応付けた現在値データ１５１を生成する。以降、現在値データ生成部１１２は、センサ部１３０からセンサ情報を取得する毎に、現在値データ１５１を生成する。
【００８０】
なお、現在値データ生成部１１２は、現在値データ１５１を生成するとき、センサ部１３０から受信したセンサ情報と、その時点で保持している現在値データ１５１の、上記センサ情報に対応する活動量との間で適宜演算を行った値を活動量として保持してもよい。具体的には、例えばセンサ情報として歩数（１歩を示す値）を受信した場合、現在値データ生成部１１２は、受信した歩数を、保持している現在値データ１５１の活動量（総歩数）に加算すればよい。すなわち、現在値データ生成部１１２は、活動量として歩数の累積値を記録していけばよい。
【００８１】
また、例えば活動量として運動の種類を保持する場合などは、受信したセンサ情報（または算出した活動量）をそのまま現在値データ１５１に記録してもよいが、センサ情報を一定時間（例えば、計時部１４０から通知される所定の時間（１０分））分だけ別に保持しておき、センサ部１３０から上記所定の時間が経過したことを通知された際に、上記別に保持していた情報の最頻値、平均値、最大値、および最小値などを活動量とし現在値データ１５１を生成することとしてもよい。
【００８２】
さらに、現在値データ生成部１１２は、受信したセンサ情報から測定した活動量の他に、当該活動量にさらに演算処理を行うことにより測定できる値も、活動量として保持してよい。例えば、上述のように活動量として歩数の累計値を保持している場合、現在値データ生成部１１２は、当該歩数から、消費カロリーや歩行距離を測定し、これらを活動量として現在値データ１５１に記録してもよい。
【００８３】
次に、ログデータ生成部１１３および端末ログデータ生成部２１４における、ログデータ１５２の生成処理の詳細を説明する。なお、以降の説明は、ログデータ生成部１１３がログデータ１５２を生成する際の処理を説明しているが、端末ログデータ生成部２１４におけるログデータ１５２の生成処理も同様である。
【００８４】
（ログデータの生成）
ログデータ生成部１１３は、活動量計１の現在値データ生成部１１２にて活動量の測定および現在値データ１５１が行われているとき、所定の時間間隔にて現在値データ生成部１１２から現在値データ１５１を受信し、以下に示すログの生成を行う。つまり、ログデータ生成部１１３は、現在値データを受信する時間間隔（所定の時間間隔）を単位時間としたログを順次生成していく。
【００８５】
ログデータ生成部１１３は、現在値データ生成部１１２から現在値データ１５１（最新の現在値データ１５１）を受信すると、記憶部１５０に格納された現在値データ１５１（前回の現在値データ１５１）を読み出す。続いて、ログデータ生成部１１３は、最新の現在値データ１５１と、前回の現在値データ１５１とから、単位時間（上記所定の時間間隔）あたりのログを生成する。そして、ログデータ生成部１１３は、生成したログをログデータ１５２に追加するとともに、記憶部１５０に記憶された前回の現在値データ１５１を、最新の現在値データ１５１へと置き換える。
【００８６】
具体的には、まず、時刻については、前回の現在値データ１５１に記録された時刻と、最新の現在値データ１５１に記録された時刻との差分をとるなどして、単位時間または単位時間を示す情報を算出し、ログに含めればよい。または、予め上記単位時間をログデータ生成部１１３または記憶部１５０などで記憶しておき、当該単位時間をログに含めればよい。
【００８７】
次に、現在値データ１５１に含まれる各種活動量については、例えば総歩数、総消費カロリーなど、センサ情報の累積値を示す情報を活動量として含んでいる場合は、ログデータ生成部１１３は、当該活動量については、前回の現在値データ１５１と、最新の現在値データ１５１との間で差分をとり、その差分の値をログに含めばよい。
【００８８】
また、例えば運動の種類など、上述のように前回の現在値データ１５１と演算を行わなくでもよい情報である場合は、ログデータ生成部１１３は、最新の現在値データ１５１に記録された活動量の値を、そのままログに含めばよい。
【００８９】
また、例えば活動量計１の最初の起動（初期化）直後など、記憶部１５０に現在値データ１５１が格納されていない場合（ログデータ生成部１１３が起動（初期化）後初めて現在値データ１５１を受信した場合）、ログデータ生成部１１３は受信した現在値データ１５１に含まれる各種活動量そのままの値をログに含めばよい。
【００９０】
最後に、活動量計１および携帯端末２が実行する処理の流れについて、図５および図６を用いて説明する。
【００９１】
≪活動量計の電池残量が少なくなった場合の処理の流れ≫
図５は、活動量計１の電池１６０の電池残量が少なくなり、活動量の測定が維持できない可能性が生じた際の、活動量計１および携帯端末２の処理の流れを示している。
【００９２】
活動量計１は、動作中は、センサ情報から活動量を測定し、現在値データ１５１およびログを生成している（Ｓ１０）。ここで、電池監視部１１４において、モニタリングしている電池１６０の電池残量が充電開始閾値以下になると（Ｓ１２でＹＥＳ）、電池監視部１１４は測定制御部１１１に残量少通知を送信する。測定制御部１１１は、上記要求を受信すると、センサ部１３０を停止させる。また、測定制御部１１１は、現在値データ生成部１１２における活動量の測定を停止させる（Ｓ１４）。電池監視部１１４はまた、通信部１２０を介し携帯端末２の通知取得部２１１へと残量少通知を送信する（Ｓ１８）。
【００９３】
一方、携帯端末２の通知取得部２１１は、端末通信部２２０を介し残量少通知を受信すると（Ｓ３０）、データ受信の準備完了を、端末通信部２２０を介し活動量計１の制御部１１０へと通知する（Ｓ３２）。
【００９４】
制御部１１０は、上記データ受信の準備完了の通知を受信すると（Ｓ２０）、現在値データ生成部１１２が保持している現在値データ１５１（最新の現在値データ１５１）と、記憶部１５０に格納された現在値データ１５１（前回の現在値データ１５１）とログデータ１５２とを、通信部１２０を介し携帯端末２の端末制御部２１０へと送信する（Ｓ２２）。端末制御部２１０は、最新の現在値データ１５１、前回の現在値データ１５１、およびログデータ１５２を受信すると（Ｓ３４）、最新の現在値データ１５１は端末現在値データ生成部２１３に保持させ、前回の現在値データ１５１、およびログデータ１５２は端末記憶部２５０へと格納する。
【００９５】
また、通知取得部２１１は、残量少通知を受信すると、端末測定制御部２１２に対し、センサ情報の検出開始を要求する。そして、端末測定制御部２１２は、上記要求を受け、端末センサ部２３０を起動させ、端末現在値データ生成部２１３に活動量の測定開始を指示する。これにより、端末センサ部２３０においてセンサ情報の検出が開始し、端末現在値データ生成部２１３は活動量の測定を開始する（Ｓ３６）。すなわち、携帯端末２の端末現在値データ生成部２１３は、端末センサ部２３０から受信したセンサ情報から活動量を測定し、当該活動量から、Ｓ３４にて端末制御部２１０が受信した現在値データ１５１の続きを生成する（Ｓ３８）。
【００９６】
なお、上述した処理のうち、Ｓ１４の処理と、Ｓ１８〜２２の処理とは行う順序が逆でもよい。すなわち、活動量計１の電池監視部１１４が携帯端末２へと残量少通知を送信し、各種データを送信してから、測定制御部１１１がセンサ部１３０を停止させてもよい。
【００９７】
また、Ｓ２０およびＳ３２の処理は必須ではない。すなわち、現在値データ１５１およびログデータ１５２の受信準備完了は通知しなくともよい。この場合、活動量計１の電池監視部１１４がＳ１８にて残量少通知を送信するとともに、制御部１１０が最新の現在値データ１５１、前回の現在値データ１５１、およびログデータ１５２を端末制御部２１０へと送信すればよい。また、Ｓ２２にて活動量計１から携帯端末２へと送信するデータには、少なくとも最新の現在値データ１５１が含まれており、携帯端末２にて活動量計１が測定した活動量の続きを測定できればよい。したがって、前回の現在値データ１５１およびログデータ１５２の送信は必須ではない。
【００９８】
≪活動量計にて充電または電池交換が完了した場合の処理の流れ≫
図６は、活動量計１にて充電または電池交換が完了した場合の処理の流れを示している。活動量計１にて電池１６０の充電または電池交換が行われ（Ｓ４０）、電池１６０の電池残量が充電完了閾値以上になると（Ｓ４２でＹＥＳ）、電池監視部１１４は、通信部１２０を介して携帯端末２の通知取得部２１１へと充電完了通知を送信する（Ｓ４４）。
【００９９】
一方、携帯端末２は、上記充電完了通知を受信するまでは、端末センサ部２３０にてセンサ情報を検出し、端末現在値データ生成部２１３にて当該センサ情報から活動量を測定するとともに当該活動量から現在値データ１５１を生成し、端末現在値データ生成部２１３にてログを生成し、現在値データ１５１とともに記録している。ここで、通知取得部２１１は、端末通信部２２０を介して上記充電完了通知を受信すると（Ｓ６０）、端末測定制御部２１２に対し、センサ情報の測定停止を要求する。端末測定制御部２１２は、上記要求を受信すると、端末センサ部２３０を停止させ、端末現在値データ生成部２１３における活動量の測定を停止させる（Ｓ６２）。そして、通知取得部２１１は、上記送信準備が完了すると、端末通信部２２０を介し、活動量計１の制御部１１０へと、データ送信の準備完了を通知する（Ｓ６６）。
【０１００】
一方、活動量計１の制御部１１０は、データ送信の準備完了の通知を受信すると（Ｓ４６）、携帯端末２の通知取得部２１１へとデータ受信の準備完了を通知する（Ｓ４８）。携帯端末２の通知取得部２１１がデータ受信の準備完了の通知を受信すると（Ｓ６８）、端末制御部２１０は、端末現在値データ生成部２１３にて保持している現在値データ１５１（最新の現在値データ１５１）と、端末記憶部２５０に格納されている現在値データ１５１（前回の現在値データ１５１）と、ログデータ１５２とを活動量計１の制御部１１０へと送信する（Ｓ７０）。
【０１０１】
活動量計１の制御部１１０は、最新の現在値データ１５１、前回の現在値データ１５１、およびログデータ１５２を受信すると（Ｓ５０）、最新の現在値データ１５１は現在値データ生成部１１２に保持させ、前回の現在値データ１５１、およびログデータ１５２は記憶部１５０へと格納する。
【０１０２】
また、電池監視部１１４は、充電完了通知を測定制御部１１１にも送信し、測定制御部１１１は、充電完了通知を受信すると、センサ部１３０を起動させ、現在値データ生成部１１２に活動量の測定開始を指示する。これにより、センサ部１３０においてセンサ情報の検出が開始し、現在値データ生成部１１２は活動量の測定を開始する（Ｓ５２）。そして、現在値データ生成部１１２は、センサ部１３０から受信したセンサ情報から活動量を測定し、当該活動量から、Ｓ５０にて端末制御部２１０が受信した現在値データ１５１の続きを生成する（Ｓ５４）。
【０１０３】
なお、上述した処理のうち、Ｓ５０の処理と、Ｓ５２の処理との順序は逆でもよいし、同時でもよい。すなわち、活動量計１は、携帯端末２に対し充電完了通知を送信したときに現在値データ生成部１１２における活動量の測定を開始させ、その後（または同時に）、携帯端末２から各種データを受信してもよい。また、Ｓ６２の処理と、Ｓ６６〜７０の処理との順序も逆でもよいし、同時でもよい。すなわち、携帯端末２は、各種データを活動量計１へと送信してから（または送信と同時に）、端末現在値データ生成部２１３における活動量の測定を停止させてもよい。
【０１０４】
また、Ｓ４６〜４８およびＳ６６〜６８の処理は必須ではない。すなわち、現在値データ１５１およびログデータ１５２の送受信の準備完了は通知しなくともよい。この場合、携帯端末２の端末測定制御部２１２が端末センサ部２３０を停止させた後、端末現在値データ生成部２１３および端末ログデータ生成部２１４がそれぞれ現在値データ１５１およびログデータ１５２を送信すればよい。
【０１０５】
また、携帯端末２は、Ｓ７０にて、端末記憶部２５０に格納されているログデータ１５２の全データを送信してもよいが、携帯端末２にて記録したログデータから、活動量計１から受信したログデータを差し引いた差分データを送信することがより望ましい。この場合、活動量計１のログデータ生成部１１３は、携帯端末２から受信したログデータ１５２の差分データを、記憶部１５０に格納されたログデータ１５２に追加すればよい。
【０１０６】
〔実施形態２〕
上記実施形態では、活動量計１は残量少状態となった場合、携帯端末２の端末制御部２１０へ最新の現在値データ１５１、前回の現在値データ１５１、およびログデータ１５２を送信することとした（図５のＳ２０〜２２およびＳ３２〜３４）。
【０１０７】
しかしながら、本発明に係る活動量測定システム１０では、活動量計１は主たる活動量の活動量測定装置である一方、携帯端末２は活動量計１が活動量を測定できない場合に、補助的に活動量の測定を行う装置である。したがって、活動量測定システム１０においては、少なくとも活動量計１が、自機が測定した活動量と、携帯端末２が測定した活動量との両方を保持できればよく、携帯端末２は必ずしも上記両方の活動量のデータを保持していなくともよい。
【０１０８】
より具体的には、活動量計１および携帯端末２は、図５のＳ２０〜２２およびＳ３２〜３４における、現在値データ１５１およびログデータ１５２の送受信を行わなくともよく、活動量計１は、携帯端末２に対し残量少通知のみを送信すればよい。
【０１０９】
この場合、携帯端末２の端末現在値データ生成部２１３は活動量計１にて生成された現在値データ１５１を保持しないので、同図のＳ３８にて、活動量計１の現在値データ１５１に含まれる活動量を考慮せず、端末センサ部２３０が検出したセンサ情報と、端末計時部２４０から受信した時刻に基づき現在値データ１５１を作成すればよい。
【０１１０】
また、端末ログデータ生成部２１４は、端末現在値データ生成部２１３から受信した最新の現在値データ１５１からログを生成し、当該ログを新規のログデータ１５２とすればよい。
【０１１１】
そして、活動量計１にて充電が完了したとき、制御部１１０は、最新の現在値データ１５１と、前回の現在値データ１５１と、ログデータ１５２とを受信し（図６のＳ５０およびＳ７０）、最新の現在値データ１５１は現在値データ生成部１１２に保持させ、前回の現在値データ１５１およびログデータ１５２をそれぞれ、記憶部１５０に格納している現在値データ１５１およびログデータ１５２と結合させればよい。
【０１１２】
具体的には、前回の現在値データ１５１については、記憶部１５０に格納している現在値データ１５１に含まれる各活動量と、受信した現在値データ１５１とに含まれる各種活動量について、適宜演算を行うことにより、記憶部１５０に格納している現在値データ１５１が、携帯端末２にて測定された活動量を含むようにすればよい。また、ログデータ１５２については、受信したログデータ１５２に含まれるログのうち、記憶部１５０に格納されたログデータ１５２に含まれていないログを、記憶部１５０に格納されたログデータ１５２へと追加すればよい。
【０１１３】
上記処理により、活動量計１が電池切れで活動量を測定できなかった期間の現在値データ１５１およびログデータ１５２が活動量計１にて補完され、記憶部１５０に記録されることとなる。
【０１１４】
また、本実施形態によると、活動量計１から携帯端末２へは通知のみが送信されることとなるので、活動量計１が残量少状態の場合にデータの送信およびそれに係る通知の送受信を行わなくてもよい。したがって、活動量計１が残量少状態となってからより早く、かつより少ない消費電力で、携帯端末２に活動量の測定を指示することができる。
【０１１５】
〔実施形態３〕
上記各実施形態では、活動量計１および携帯端末２は、他方の装置から最新の現在値データ１５１を受信すると、当該データの続きを記録していくこととした。
【０１１６】
ここで、最新の現在値データ１５１の「時刻」列に記録されている時刻と、計時部１４０または端末計時部２４０の計時する時刻との間にずれが生じている場合、活動量計１または携帯端末２は、適宜記録された時刻の調節を行ってもよい。
【０１１７】
上述の時刻のずれが生じているときで、活動量計１が現在値データ１５１を受信する側であった場合は、活動量計１は計時部１４０の時刻を、受信した最新の現在値データ１５１の「時刻」列に記録された時刻に基づいて修正した上で、最新の現在値データ１５１の続きを記録していけばよい。すなわち、計時部１４０の時刻を携帯端末２にて計時された時刻に合わせればよい。
【０１１８】
一方、携帯端末２が現在値データ１５１を受信する側であった場合は、携帯端末２は受信した最新の現在値データ１５１の「時刻」列に記録された時刻を、自機の端末計時部２４０にて計時した時刻に置き換えればよい。すなわち、現在値データ１５１に記録された時刻を、端末計時部２４０の時刻に合うように修正すればよい。
【０１１９】
〔ソフトウェアによる実現例〕
活動量計１および携帯端末２の制御ブロック（特に現在値データ生成部１１２、ログデータ生成部１１３、端末現在値データ生成部２１３および端末ログデータ生成部２１４）は、集積回路（ＩＣチップ）等に形成された論理回路（ハードウェア）によって実現してもよいし、ＣＰＵ（Central Processing Unit）を用いてソフトウェアによって実現してもよい。
【０１２０】
後者の場合、活動量計１および携帯端末２は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１２１】
〔まとめ〕
本発明の態様１に係る活動量測定装置（活動量計１）は、電源としての電池（電池１６０）と、ユーザの動作に係る情報および周辺環境に係る情報から、上記ユーザの動作に係る活動量を測定する活動量測定部（現在値データ生成部１１２）とを備えるとともに、上記活動量を測定可能な活動量測定補助装置（携帯端末２）と通信を行う活動量測定装置であって、上記電池の電池残量を測定する電池残量測定手段（電池監視部１１４）と、上記電池残量測定手段が測定した電池残量が、上記活動量測定部が上記活動量の測定を継続できない電池残量になったことを示す第１閾値（充電開始閾値）以下になった場合、上記活動量測定補助装置に対し、上記電池残量を示す通知（残量少通知）を送信することにより、上記活動量測定補助装置に上記活動量の測定を開始させる通知送信手段（電池監視部１１４）と、を備えている。
【０１２２】
上記構成によれば、活動量測定装置は、活動量の測定を継続できない状態（残量少状態）になった場合に、その旨を活動量測定補助装置に通知することにより、活動量測定補助装置に活動量の測定を開始させる。
【０１２３】
すなわち、活動量測定装置が活動量の測定を行えなくなった場合でも、活動量測定補助装置が活動量測定装置の代わりに、当該期間中のユーザの動作に係る活動量を測定する。これにより、活動量測定装置にて活動量の測定が行えない期間の分の活動量を、取りこぼしなく測定することができる。
【０１２４】
本発明の態様２に係る活動量測定装置は、上記態様１において、時刻を計時する計時部（計時部１４０）と、上記通知送信手段が上記通知を送信した場合に、上記活動量測定部が測定した活動量を示す活動量データを上記活動量測定補助装置へ送信する活動量データ送信手段（制御部１１０）と、を備え、上記活動量測定部は、上記計時部の計時に従って、所定の時間毎に上記活動量を示す現在値データを生成する現在値データ生成手段（現在値データ生成部１１２）を含み、上記活動量データ送信手段は、上記活動量測定補助装置に対し、上記現在値データ生成手段が最後に生成した現在値データ（最新の現在値データ）を少なくとも上記活動量データとして送信して、当該最後に生成した上記現在値データに続けて、上記所定の時間毎に上記現在値データを生成してもよい。
【０１２５】
上記構成によれば、活動量測定装置は、活動量の測定を継続できない場合に、最後に生成した現在値データ（最新の現在値データ）を活動量測定補助装置へ送信し、当該最後に生成した現在値データの続きを、活動量測定補助装置に生成させる。
【０１２６】
これにより、活動量測定装置は、自機が活動量を測定できない期間の分の現在値データを、活動量測定補助装置にて、自機が活動量の測定を継続して行っているときと同じように生成させることができる。
【０１２７】
本発明の態様３に係る活動量測定装置は、上記態様２において、上記活動量測定部は、単位時間内に、上記現在値データ生成手段が上記所定の時間毎に生成した複数の上記現在値データから、上記単位時間毎の上記活動量を示すログデータを生成するログデータ生成手段（ログデータ生成部１１３）をさらに含み、上記活動量データ送信手段は、上記活動量測定補助装置に対し、上記現在値データ生成手段が最後に上記現在値データを生成した時刻を含む上記単位時間の上記ログデータ、および、それに続く上記ログデータを生成させてもよい。
【０１２８】
上記構成によれば、活動量測定装置は、活動量の測定を継続できない場合に、上記活動量測定補助装置にて、自機が最後に現在値データを生成した時刻を含む単位時間のログデータ、およびそれに続くログデータを作成させる。
【０１２９】
これにより、活動量測定装置は、自機が活動量を測定できない期間の分のログデータを、活動量測定補助装置にて、活動量測定装置が活動量の測定を継続して行っているときと同じように生成させることができる。
【０１３０】
本発明の態様４に係る活動量測定装置（活動量計１）は、電源としての電池（電池１６０）と、ユーザの動作に係る情報および周辺環境に係る情報から、上記ユーザの動作に係る活動量を測定する活動量測定部（現在値データ生成部１１２）とを備えるとともに、上記活動量を測定可能な活動量測定補助装置（携帯端末２）と通信を行う活動量測定装置であって、上記電池の電池残量を測定する電池残量測定手段（電池監視部１１４）と、上記電池残量測定手段が測定した電池残量が、上記電池の充電または交換の完了を示す第２閾値（充電完了閾値）以上になった場合、上記活動量測定補助装置に対し、上記完了を示す通知（充電完了通知）を送信することにより、上記活動量測定補助装置に該活動量測定補助装置が測定した上記活動量を示す活動量データを送信させる通知送信手段（電池監視部１１４）と、上記通知送信手段が上記通知を送信すると、上記活動量測定部に上記活動量の測定を開始させる活動量測定開始手段（測定制御部１１１）と、上記通知送信手段が送信した上記通知に応答して上記活動量測定補助装置から送信された上記活動量データを受信する活動量データ受信手段（制御部１１０）と、を備えている。
【０１３１】
上記構成によれば、活動量測定装置は、自機にて充電または電池交換が完了すると、活動量の測定を再開し、活動量測定補助装置から、活動量測定補助装置において測定された活動量を示す活動量データを受信する。これにより、活動量測定装置は、自機が電池切れ（残量少状態）等であったために、自機にて活動量の測定が行えなかった期間の活動量データを取得することができる。したがって、活動量測定装置にて活動量の測定が行えない期間があっても、当該期間の活動量を取りこぼしなく測定することができる。
【０１３２】
本発明の態様５に係る活動量測定装置は、上記態様４において、時刻を計時する計時部（計時部１４０）を備え、上記活動量測定部は、上記計時部の計時に従って、所定の時間毎に上記活動量を示す現値データを生成する現在値データ生成手段（現在値データ生成部１１２）を含み、上記活動量データ受信手段は、上記活動量測定補助装置から、該活動量測定補助装置にて上記所定の時間毎に生成された上記現在値データのうち、最後に生成された現在値データ（最新の現在値データ）を少なくとも上記活動量データとして受信し、上記現在値データ生成手段は、上記活動量データ受信手段が受信した、上記最後に生成された上記現在値データに続けて、上記所定の時間毎に上記現在値データを生成してもよい。
【０１３３】
上記構成によれば、活動量測定装置は、自機の充電または電池交換が完了した場合に、活動量測定補助装置にて最後に生成された現在値データを受信し、当該現在値データの続きを生成する。
【０１３４】
したがって、活動量測定装置は、活動量測定補助装置にて測定された、自機が活動量を測定できなかった期間の分の現在値データを活動量測定補助装置から引き継ぐことができる。よって、活動量測定装置は、自機にて活動量の測定を継続して行っているときと同じように現在値データを生成することができる。
【０１３５】
本発明の態様６に係る活動量測定装置は、上記態様５において、上記活動量測定部は、単位時間内に、上記現在値データ生成手段が上記所定の時間毎に生成した複数の上記現在値データから、上記単位時間毎の上記活動量を示すログデータを生成するログデータ生成手段（ログデータ生成部１１３）をさらに含み、上記ログデータ生成手段は、上記活動量測定補助装置が最後に上記現在値データを生成した時刻を含む上記単位時間の上記ログデータ、および、それに続く上記ログデータを生成してもよい。
【０１３６】
上記構成によれば、活動量測定装置は、自機の充電が完了した場合に、上記活動量測定補助装置が最後に現在値データを生成した時刻を含むログデータ、および当該ログデータの続きを作成する。
【０１３７】
これにより、活動量測定装置は、自機が活動量を測定できない期間の分のログデータを活動量測定補助装置から引き継ぐことができる。よって、活動量測定装置は、自機で活動量の測定を継続して行っているときと同じようにログデータを取得することができる。
【０１３８】
本発明の態様７に係る活動量測定補助装置（携帯端末２）は、ユーザの動作に係る情報および周辺環境に係る情報から、上記ユーザの動作に係る活動量を測定する第２活動量測定部（端末現在値データ生成部２１３）を備えるとともに、電源としての電池（電池１６０）を備えて、上記活動量を測定可能な活動量測定装置（活動量計１）と通信を行う活動量測定補助装置であって、上記活動量測定装置から、上記電池の電池残量が、上記活動量測定装置が上記活動量の測定を継続できない電池残量になったことを示す通知（残量少通知）を受信する通知受信手段（通知取得部２１１）と、上記通知受信手段が上記通知を受信した場合、上記第２活動量測定部に上記活動量の測定を開始させる第２活動量測定開始手段（端末測定制御部２１２）と、を備えている。
【０１３９】
上記構成によれば、活動量測定補助装置は、活動量測定装置から、活動量の測定を継続できない状態（残量少状態）になったことを示す通知を受信すると、自機での活動量の測定を開始する。すなわち、活動量測定補助装置は、活動量測定装置が活動量の測定を行えない間に、活動量測定装置の代わりに活動量の測定を行う。したがって、活動量測定装置が活動量の測定を行えない期間であっても、当該期間中のユーザの動作に係る活動量を取りこぼしなく測定することができる。
【０１４０】
本発明の態様８に係る活動量測定補助装置は、上記態様７において、時刻を計時する第２計時部（端末計時部２４０）と、上記通知受信手段が上記通知を受信した場合、上記第２活動量測定部が測定した活動量を示す活動量データを上記活動量測定装置から受信する第２活動量データ受信手段（端末制御部２１０）と、を備え、上記第２活動量測定部は、上記計時部の計時に従って、所定の時間毎に上記活動量を示す現在値データを生成する第２現在値データ生成手段（端末現在値データ生成部２１３）を含み、上記第２活動量データ受信手段は、上記活動量測定装置から、上記活動量測定装置にて上記所定の時間毎に生成された上記現在値データから、最後に生成された現在値データ（最新の現在値データ）を少なくとも上記活動量データとして受信し、上記第２現在値データ生成手段は、上記第２活動量データ受信手段が受信した、上記最後に生成された上記現在値データに続けて、上記所定の時間毎に上記現在値データを生成してもよい。
【０１４１】
上記構成によれば、活動量測定補助装置は、活動量測定装置の残量少通知を受信するとともに、その時点で活動量測定装置にて生成された現在値データの続きを作成する。これにより、活動量測定補助装置は、活動量測定装置にて測定した活動量に、自機が測定する活動量を引き継いで測定していくことができる。したがって、活動量測定補助装置は、活動量測定装置が活動量を測定できない期間に自機にて作成された第２現在値データを、活動量測定装置が活動量の測定を継続して行っているときと同じように測定することができる。
【０１４２】
本発明の態様９に係る活動量測定補助装置は、上記態様８において、上記第２活動量測定部は、単位時間内に、上記第２現在値データ生成手段が上記所定の時間毎に生成した複数の上記現在値データから、上記単位時間毎の上記活動量を示すログデータを生成する第２ログデータ生成手段（端末ログデータ生成部２１４）をさらに含み、上記第２ログデータ生成手段は、上記活動量測定装置が最後に上記現在値データを生成した時刻を含む上記単位時間の上記ログデータ、および、それに続く上記ログデータを生成してもよい。
【０１４３】
上記構成によれば、活動量測定補助装置は、活動量測定装置から残量少状態の通知を受信した場合、活動量測定装置から上記活動量測定装置が最後に生成した上記現在値データを受信し、該現在値データが上記活動量測定装置において生成された時刻を含む上記単位時間の上記ログデータ、および、それに続く上記ログデータを生成する。これにより、活動量測定補助装置は、活動量測定装置が活動量を測定できない期間の分のログデータを生成することができる。よって、活動量測定装置は、活動量測定補助装置からログデータを引き継ぐことによって、自機で活動量の測定を継続して行っているときと同じようにログデータを取得することができる。
【０１４４】
本発明の態様１０に係る活動量測定補助装置（携帯端末２）は、ユーザの動作に係る情報および周辺環境に係る情報から、上記ユーザの動作に係る活動量を測定する第２活動量測定部（端末現在値データ生成部２１３）を備えるとともに、電源としての電池（電池１６０）を備えて、上記活動量を測定可能な活動量測定装置（活動量計１）と通信を行う活動量測定補助装置であって、上記活動量測定装置から、上記活動量測定装置の上記電池の充電または交換の完了を示す通知（充電完了通知）を受信する通知受信手段（通知取得部２１１）と、上記通知受信手段が上記通知を受信した場合、上記第２活動量測定部が測定した上記活動量を示す活動量データを上記活動量測定装置へ送信する第２活動量データ送信手段（端末制御部２１０）と、上記通知受信手段が上記通知を受信した場合、上記第２活動量測定部に上記活動量の測定を停止させる活動量測定停止手段（端末測定制御部２１２）と、を備えている。
【０１４５】
上記構成によれば、活動量測定補助装置は、活動量測定装置から充電または電池交換の完了を示す通知を受信すると、第２活動量測定部での活動量の測定を停止し、第２活動量測定部が測定した活動量を示す活動量データを活動量測定装置へと送信する。
【０１４６】
したがって、活動量測定補助装置は、活動量測定装置にて活動量の測定を行えない期間の活動量を取りこぼしなく測定し、当該測定した活動量を活動量測定装置へと送信することができる。
【０１４７】
本発明の態様１１に係る活動量測定補助装置は、上記態様１０において、時刻を計時する第２計時部（端末計時部２４０）を備え、上記第２活動量測定部は、上記第２計時部の計時に従って、所定の時間毎に上記活動量を示す現在値データを生成する第２現在値データ生成手段（端末現在値データ生成部２１３）を含み、上記第２活動量データ送信手段は、上記活動量測定装置に対し、上記第２現在値データ生成手段が最後に生成した現在値データ（最新の現在値データ）を少なくとも上記活動量データとして送信して、当該最後に生成した上記現在値データに続けて、上記所定の時間毎に上記現在値データを生成させてもよい。
【０１４８】
上記構成によれば、活動量測定補助装置は、活動量測定装置の充電または電池交換の完了を示す通知を受信すると、上記活動量測定装置に対し、最後に生成した現在値データを少なくとも上記活動量データとして送信して、当該最後に生成した上記現在値データの続きを、活動量測定装置に生成させる。したがって、活動量測定補助装置は、活動量測定装置にて活動量の測定を行えない期間の活動量を取りこぼしなく測定し、当該測定した活動量を活動量測定装置へと送信することができる。
【０１４９】
本発明の態様１２に係る活動量測定補助装置は、上記態様１１において、上記第２活動量測定部は、単位時間内に、上記第２現在値データ生成手段が上記所定の時間毎に生成した複数の上記現在値データから、上記単位時間毎の上記活動量を示すログデータを生成する第２ログデータ生成手段（端末現在値データ生成部２１３）をさらに含み、上記第２活動量データ送信手段は、上記活動量測定装置に対し、上記第２現在値データ生成手段が最後に上記現在値データを生成した時刻を含む上記単位時間の上記ログデータ、および、それに続く上記ログデータを生成させてもよい。
【０１５０】
上記構成によれば、活動量測定補助装置は、活動量測定装置の充電または電池交換の完了を示す通知を受信すると、活動量測定補助装置において生成したログデータを活動量測定装置へと送信するとともに、送信したログデータの続きを上記活動量測定装置に作成させる。これにより、活動量測定補助装置は、活動量測定装置が活動量を測定できない期間の分のログデータを、活動量測定装置が活動量の測定を継続して行っているときと同じように取得させることができる。
【０１５１】
本発明の態様１３に係る活動量測定装置（活動量計１）の制御方法は、電源としての電池（電池１６０）と、ユーザの動作に係る情報および周辺環境に係る情報から、上記ユーザの動作に係る活動量を測定する活動量測定部（現在値データ生成部１１２）とを備えるとともに、上記活動量を測定可能な活動量測定補助装置（携帯端末２）と通信を行う活動量測定装置の制御方法であって、上記電池の電池残量を測定する電池残量測定ステップ（Ｓ１２）と、上記電池残量測定ステップにて測定した電池残量が、上記活動量測定部が上記活動量の測定を継続できない電池残量になったことを示す第１閾値（充電開始閾値）以下になった場合（Ｓ１２でＹＥＳ）で、上記活動量測定補助装置に対し、上記電池残量を示す通知（残量少通知）を送信することにより、上記活動量測定補助装置に上記活動量の測定を開始させる通知送信ステップ（Ｓ１８）と、を含む。
【０１５２】
上記構成によれば、上記態様１と同様の効果を奏する。
【０１５３】
本発明の態様１４に係る活動量測定装置（活動量計１）の制御方法は、電源としての電池（電池１６０）と、ユーザの動作に係る情報および周辺環境に係る情報から、上記ユーザの動作に係る活動量を測定する活動量測定部（現在値データ生成部１１２）とを備えるとともに、上記活動量を測定可能な活動量測定補助装置（携帯端末２）と通信を行う活動量測定装置の制御方法であって、上記電池の電池残量を測定する電池残量測定ステップ（Ｓ４２）と、上記電池残量測定ステップにて測定した電池残量が、上記電池の充電または交換の完了を示す第２閾値（充電完了閾値）以上になった場合（Ｓ４２でＹＥＳ）、上記活動量測定補助装置に対し、上記完了を示す通知（充電完了通知）を送信することにより、上記活動量測定補助装置に該活動量測定補助装置が測定した上記活動量を示す活動量データを送信させる通知送信ステップ（Ｓ４４）と、上記通知送信ステップにて送信した上記通知に応答して上記活動量測定補助装置から送信された上記活動量データを受信する活動量データ受信ステップ（Ｓ５０）と、上記通知送信ステップにて上記通知を送信すると、上記活動量測定部に上記活動量の測定を開始させる活動量測定開始ステップ（Ｓ５２）と、を含む。
【０１５４】
上記構成によれば、上記態様４と同様の効果を奏する。
【０１５５】
本発明の態様１５に係る活動量測定補助装置（携帯端末２）の制御方法は、ユーザの動作に係る情報および周辺環境に係る情報から、上記ユーザの動作に係る活動量を測定する第２活動量測定部（端末現在値データ生成部２１３）を備えるとともに、電源としての電池（電池１６０）を備えて、上記活動量を測定可能な活動量測定装置（活動量計１）と通信を行う活動量測定補助装置の制御方法であって、上記活動量測定装置から、上記電池の電池残量が、上記活動量測定装置が上記活動量の測定を継続できない電池残量になったことを示す通知（残量少通知）を受信する第２通知受信ステップ（Ｓ３０）と、上記第２通知受信ステップにて上記通知を受信した場合、上記第２活動量測定部に上記活動量の測定を開始させる第２活動量測定開始ステップ（Ｓ３６）と、を含む。
【０１５６】
上記構成によれば、上記態様７と同様の効果を奏する。
【０１５７】
本発明の態様１６に係る活動量測定補助装置（携帯端末２）の制御方法は、ユーザの動作に係る情報および周辺環境に係る情報から、上記ユーザの動作に係る活動量を測定する第２活動量測定部（端末現在値データ生成部２１３）を備えるとともに、電源としての電池（電池１６０）を備えて、上記活動量を測定可能な活動量測定装置（活動量計１）と通信を行う活動量測定補助装置の制御方法であって、上記活動量測定装置から、該活動量測定装置の上記電池の充電または交換の完了を示す通知（充電完了通知）を受信する第２通知受信ステップ（Ｓ６０）と、上記第２通知受信ステップにて上記通知を受信した場合、上記第２活動量測定部に上記活動量の測定を停止させる活動量測定停止ステップ（Ｓ６２）と、上記第２通知受信ステップにて上記通知を受信した場合、上記第２活動量測定部が測定した上記活動量を示す活動量データを上記活動量測定装置へ送信する第２活動量データ送信ステップ（Ｓ７０）と、を含む。
【０１５８】
上記構成によれば、上記態様１０と同様の効果を奏する。
【０１５９】
本発明の態様１７に係る活動量測定システムは、本発明の態様１〜３のいずれかに記載の活動量測定装置と、本発明の態様７〜９のいずれかに記載の活動量測定補助装置とを備える。
【０１６０】
上記構成によれば、活動量測定装置が活動量の測定を継続できない電池残量になった場合、活動量測定装置の代わりに活動量測定補助装置が活動量の測定を開始する。これにより、活動量測定装置にて活動量の測定が行えない期間の分の活動量を、活動量測定補助装置にて測定する（活動量の測定を引き継ぐ）ことができるという効果を奏する。
【０１６１】
本発明の態様１８に係る活動量測定システムは、本発明の態様４〜６のいずれかに記載の活動量測定装置と、本発明の態様１０〜１２のいずれかに記載の活動量測定補助装置とを備える。
【０１６２】
上記構成によれば、活動量測定装置にて電池の充電または交換が完了した場合、活動量測定補助装置は、自機での活動量の測定を停止し、自機で測定した活動量を活動量測定装置へと送信する。一方、活動量測定装置は、活動量測定補助装置から活動量を受信し、活動量の測定を開始（再開）する。
【０１６３】
これにより、活動量測定装置が活動量を測定可能になると、活動量測定補助装置から活動量測定装置へと活動量の測定を引き継ぐことができ、加えて、活動量測定装置にて活動量の測定が行えなかった期間の分の活動量を、活動量測定補助装置から活動量測定装置へと引き継ぐことができるという効果を奏する。
【０１６４】
本発明の各態様に係る活動量測定装置および活動量測定補助装置は、コンピュータによって実現してもよく、この場合には、コンピュータを上記活動量測定装置および活動量測定補助装置が備える各手段として動作させることにより上記活動量測定装置および活動量測定補助装置をコンピュータにて実現させる活動量測定装置および活動量測定補助装置の制御プログラム、およびそれを記録したコンピュータ読み取り可能な記録媒体も、本発明の範疇に入る。
【０１６５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１６６】
本発明は、ユーザの動作に係る情報を測定する活動量測定装置、および活動量測定装置による活動量の測定を補助する、例えば携帯端末等の活動量測定補助装置に好適に用いられる。
【符号の説明】
【０１６７】
１  活動量計（活動量測定装置）
２  携帯端末（活動量測定補助装置）
１０  活動量測定システム
１１０  制御部（活動量データ送信手段、活動量データ受信手段）
１１１  測定制御部（活動量測定開始手段、測定停止手段）
１１２  現在値データ生成部（活動量測定部、現在値データ生成手段）
１１３  ログデータ生成部（ログデータ生成手段）
１１４  電池監視部（電池残量測定手段、通知送信手段）
１４０  計時部
１５１  現在値データ
１５２  ログデータ
１６０  電池
２１０  端末制御部（第２活動量データ送信手段、第２活動量データ受信手段）
２１１  通知取得部（通知受信手段）
２１２  端末測定制御部（第２活動量測定開始手段、活動量測定停止手段）
２１３  端末現在値データ生成部（第２活動量測定部、第２現在値データ生成部）
２１４  端末ログデータ生成部（第２ログデータ生成部）
２４０  端末計時部（第２計時部）
【図１】
2015029654.tif 000003
【図２】
2015029654.tif 000004
【図３】
2015029654.tif 000005
【図４】
2015029654.tif 000006
【図５】
2015029654.tif 000007
【図６】
2015029654.tif 000008